(57)【要約】【課題】ステータから脱落した異物がロータに付着することを防止できるモータを提供することを目的とする。【解決手段】ステータ２の端面２ｃ，２ｄからロータ１の出力軸１ａの方向に沿って固定側に近接する仕切り壁１１ａ，１１ｂを形成し、ロータ１に付着しようとする異物を仕切り壁１１ａ，１１ｂで食い止める。【選択図】図１
2008259277.tif 000002
【特許請求の範囲】
【請求項１】
巻線処理されたステータをモータケーシングの内側に配置し、前記ステータの内周にロータを配置し、前記ステータの巻線への通電を切り換えて回転磁界を発生させて前記ロータを回転駆動するモータにおいて、
前記ステータの端面から前記ロータの出力軸方向に沿って固定側に近接する仕切り壁を形成した
モータ。
【請求項２】
前記仕切り壁は、
前記ステータの一方の端面から前記モータケーシングの底部に近接する第１の仕切り壁と、
前記ステータの他方の端面から前記モータケーシングに内蔵された配線基板に近接する第２の仕切り壁と
で構成した
請求項１記載のモータ。
【請求項３】
ロータの出力軸と反対側には小径部を突き出して形成し、配線基板の中央に前記ロータの小径部の外形寸法よりわずかに大きい穴部を形成し、この穴部に前記ロータの小径部を嵌合挿入して構成した
請求項２記載のモータ。
【請求項４】
前記仕切り壁は、
前記ステータのコアのティース端面に配設されて前記巻線処理によって前記コアと一体に拘束されるベース部の内終端に一端が接続されている
請求項１から請求項３のいずれか１項に記載のモータ。
【発明の詳細な説明】
【技術分野】
【０００１】
本発明は自動車のエンジンルーム環境の様な高振動環境で運転されるモータに関するものである。
【背景技術】
【０００２】
図６（ａ）に示すようなインナーロータモータでは、モーターケーシング４はケーシング本体４ａとトップカバー４ｂとで構成されている。ケーシング本体４ａの内側には、巻線２ａが施されたステータ２が固定されている。ステータ２の内側の中心と同軸上に出力軸１ａを有するロータ１が回転自在に軸受８ａ，８ｂを介してモーターケーシング４に取り付けられている。
【０００３】
ステータ２のステータコア２ｂの形状は、図６（ｂ）に示すように各ティース９の外終端（基端）を互いに連結し、ステータ２の内側では隣接するティース９の先端間に隙間１０が形成された形状に磁性鋼板を打ち抜き、この打ち抜かれた磁性鋼板を積層し、前記隙間１０から巻線機の巻線ノズル（図示せず）を挿入し、ティース９の周りで巻線ノズルを回転させてティース９への巻線処理が実施されている。
【０００４】
しかし、このような巻線処理では加工が難しいと共に、巻線占有率を向上させるのが難しいため、特許文献１では図７に示したように内周側１４で連結されて外周側に隙間１０が形成されたステータコア２ｂに巻線処理を行った後ステータコア２ｂの外周面に鋼板からなるフレームを圧入して隙間１０を閉塞し、このフレームを磁気回路とする構成が提案されている。
【特許文献１】特開平３−２３５６２９号公報
【発明の開示】
【発明が解決しようとする課題】
【０００５】
図６（ｂ）のように隙間１０が内側で開口しているコア形状の場合も、図７のように隙間１０が外側で開口しているコア形状の場合も同様であるが、ステータ２をケーシングに圧入固定する構成の場合は特に異物が生じ易く、ステータ２の表面に異物が付着していた場合には、モータの回転などによってステータ２から脱落した前記異物が、マグネットからなる前記ロータ１に付着して、異音が発生する虞がある。
【０００６】
本発明は、ステータ２から脱落した異物がロータ１に付着することを防止できるモータを提供することを目的とする。
【課題を解決するための手段】
【０００７】
本発明の請求項１記載のモータは、巻線処理されたステータをモータケーシングの内側に配置し、前記ステータの内周にロータを配置し、前記ステータの巻線への通電を切り換えて回転磁界を発生させて前記ロータを回転駆動するモータにおいて、前記ステータの端面から前記ロータの出力軸方向に沿って固定側に近接する仕切り壁を形成したことを特徴とする。
【０００８】
本発明の請求項２記載のモータは、請求項１において、前記仕切り壁は、前記ステータの一方の端面から前記モータケーシングの底部に近接する第１の仕切り壁と、前記ステータの他方の端面から前記モータケーシングに内蔵された配線基板に近接する第２の仕切り壁とで構成したことを特徴とする。
【０００９】
本発明の請求項３記載のモータは、請求項２において、ロータの出力軸と反対側には小径部を突き出して形成し、配線基板の中央に前記ロータの小径部の外形寸法よりわずかに大きい穴部を形成し、この穴部に前記ロータの小径部を嵌合挿入して構成したことを特徴とする。
【００１０】
本発明の請求項４記載のモータは、請求項１から請求項３のいずれかにおいて、前記仕切り壁は、前記ステータのコアのティース端面に配設されて前記巻線処理によって前記コアと一体に拘束されるベース部の内終端に一端が接続されていることを特徴とする。
【発明の効果】
【００１１】
この構成によると、ステータから異物が脱落しても、ステータの端面からロータの出力軸方向に沿って固定側に近接する仕切り壁によって、異物のロータの側への移動を妨げることができ、異物がロータに付着した場合に発生していた異音の発生を解消できる。
【発明を実施するための最良の形態】
【００１２】
以下、本発明のモータを実施の形態に基づいて説明する。
図１〜図５は本発明のモータを示す。
図１（ａ）に示したモータは図１（ｂ）におけるＡ−ＡＡの断面図である。
【００１３】
モータケーシング４は、金属製のケーシング本体４ａと金属製のケーシング蓋４ｂとで構成されている。ケーシング本体４ａの内部には、ロータ１とステータ２ならびに第１，第２の配線基板３ａ，３ｂの一部が納められている。ステータ２は、ロータ１の出力軸１ａと同軸上に配置されている。第１の配線基板３ａは、ロータ１とステータ２に対してロータ１の出力軸１ａの反対方向の端部に配置されている。第１の配線基板３ａには制御回路６とパワー素子７が実装されている。
【００１４】
磁電変換素子５が実装された第２の配線基板３ｂは、ロータ１と第１の配線基板３ａの間に配置され、配線基板３ａ中央に形成された穴部３ｃにロータ１の小径部１ｂの外周がわずかな隙間を介して挿入されている。磁電変換素子５はロータ１に近接して配置されており、磁電変換素子５がロータ１の磁極を検出した検出信号などは、第２の配線基板３ｂから第１の配線基板３ａの制御回路６に入力され、制御回路６が同じ第１の配線基板３ａに搭載されているパワー素子７を介してステータ巻線のリード１５への通電を切り換えて回転磁界を発生させてロータ１を回転駆動している。
【００１５】
図２と図３はステータ２のステータコア２ｂと、このステータコア２ｂの端面２ｃ，２ｄに設けられている仕切り壁１１ａ，１１ｂの詳細を示している。
ステータコア２ｂの形状は、例えば、図７と同じように隙間１０が外側で開口しているコア形状であって、ここでは巻線処理によって各ティース部９に巻線２ａを巻回する前の状態を示している。
【００１６】
巻線２ａを巻回する前のステータコア２ｂのティース部９の端面には、合成樹脂からなるインシュレータ１２Ａ，１２Ｂが設けられている。インシュレータ１２Ａは、前記巻線処理によってステータコア２ｂと一体に拘束されるベース部１３ａと、このベース部１３ａの内終端に一端が接続されている第１の仕切り壁１１ａとで構成されている。インシュレータ１２Ｂは、前記巻線処理によってステータコア２ｂと一体に拘束されるベース部１３ｂと、このベース部１３ｂの内終端に一端が接続されている第２の仕切り壁１１ｂとで構成されている。
【００１７】
このようにステータコア２ｂを中央にして上下をインシュレータ１２Ａ，１２Ｂで挟み、この図４（ａ）に示す各ティース部９に対して図４（ｂ）に示すように巻線２ａを巻き付けて仕上げる。
【００１８】
次に、図４（ｃ）に示すようにケーシング本体４ａの内側に、巻線処理が完了したステータ２を圧入する。なお、巻線２ａの結線は、ステータ２をモーターケーシング４の内側に圧入する前工程または後工程の何れでも良いし、対応するティース間を連続して巻線しても構わない。
【００１９】
図５がこのステータ２の圧入後の詳細を示している。
圧入前のステータ２には、外周側２０の一端に中央部２１ａから前記モータケーシング４の内側に沿って両側に延びる張り出し部２１ｂ，２１ｃが形成されている。
【００２０】
圧入されたステータ２は、ティース部９の外周側２０の一端の張り出し部２１ｂ，２１ｃが、波線位置から実線位置に変形してモータケーシング４ａの内側に圧入されて、隣接するティースの外周側一端との間にモータケーシング本体４ａを介して磁路が形成される。
【００２１】
また、この実施の形態ではステータ２の外周側一端には、前記張り出し部２１ｂ，２１ｃがモータケーシング本体４ａの内側に当接して変形した状態においても、モータケーシング本体４ａの内側に当接していない中央部２１ａが存在しており、ティース部９の外周側一端の中央部２１ａとモータケーシング本体４ａの内側との間に隙間２７が形成されている。
【００２２】
このようにステータ２をモータケーシング本体４ａに圧入した状態では、インシュレータ１２Ａの第１の仕切り壁１１ａの先端１６は、固定側としてのモータケーシング４ａの底部１７に近接する。
【００２３】
ステータ２をモータケーシング本体４ａに圧入した後に、モーターケーシング４に第１，第２の配線基板３ａ，３ｂを納める。このように第１，第２の配線基板３ａ，３ｂをモータケーシング本体４ａに納めた状態では、インシュレータ１２Ｂの第２の仕切り壁１１ｂの先端１８は、固定側としての第２の配線基板３ｂに近接する。
【００２４】
なお、第１の配線基板３ａには磁電変換素子５が実装されているため、第２の仕切り壁１１ｂの先端１８と第１の配線基板３ａとの隙間を小さくするために、ここでは第２の仕切り壁１１ｂの先端１８に、図１（ｂ）と図３に示すように、磁電変換素子５の実装位置に対応した切り欠き１９が形成されている。
【００２５】
モータケーシング本体４ａに第１，第２の配線基板３ａ，３ｂを納めた後には、ステータ２の内側にロータ１をセットし、更に、ケーシング本体４ａにケーシング蓋４ｂを取り付けてロータ１を回転自在に支持してモータが完成する。
【００２６】
このように組み立てが完了した状態では、配線基板３ａの穴部３ｃとロータ１の小径部１ｂとの間の隙間が小さくされ、また、第１，第２の仕切り壁１１ａ，１１ｂによって、ステータ２の外周部と内周部とが仕切られているため、モータの回転などによってステータ２の表面に付着していた異物がステータ２から脱落しても、配線基板３ａにより、あるいは第１，第２の仕切り壁１１ａ，１１ｂに異物が遮られて、ロータ１の側に異物が入り込む事態を大幅に低減することができ、ロータ１に異物が付着して発生していた異音の発生を回避することができる。
【産業上の利用可能性】
【００２７】
本発明は小型モータを使用した各種機器の信頼性の向上に寄与できる。
【図面の簡単な説明】
【００２８】
【図１】本発明のモータの縦断面図と横断面図
【図２】同実施の形態の巻線前のステータの拡大斜視図
【図３】同実施の形態のステータとインシュレータの分解断面図
【図４】同実施の形態のステータコアの巻線前後の平面図と巻線処理してケーシング本体に圧入した底面図
【図５】同実施の形態のステータをケーシング本体に圧入した状態の拡大図
【図６】モータの縦断面図と第１の従来例のステータコアの平面図
【図７】第２の従来例のステータコアの平面図
【符号の説明】
【００２９】
１    ロータ
１ａ    ロータ１の出力軸
１ｂ  ロータ１の小径部
２    ステータ
２ａ  巻線
２ｂ    ステータコア
２ｃ，２ｄ    ステータコアの端面
３ａ    第１の配線基板
３ｂ    第２の配線基板
３ｃ    第２の配線基板中央の穴部
４    モータケーシング
４ａ    ケーシング本体
４ｂ    ケーシング蓋
５    磁電変換素子
６    制御回路
７    パワー素子
９    ティース部
１１ａ    第１の仕切り壁
１１ｂ    第２の仕切り壁
１２Ａ，１２Ｂ    インシュレータ
１３ａ，１３ｂ    ベース部
１５    ステータ２のステータ巻線のリード
１６    第１の仕切り壁１１ａの先端
１７    モータケーシング本体４ａの底部（固定側）
１８    第２の仕切り壁１１ｂの先端
１９    磁電変換素子５の実装位置に対応した切り欠き
２０    ティース部の外周側
２１ａ    ティース部の外周側の中央部
２１ｂ，２１ｃ    ティース部の外周側の張り出し部
２７    隙間
【図１】
2008259277.tif 000003
【図２】
2008259277.tif 000004
【図３】
2008259277.tif 000005
【図４】
2008259277.tif 000006
【図５】
2008259277.tif 000007
【図６】
2008259277.tif 000008
【図７】
2008259277.tif 000009